(57)【要約】 【課題】省電力運用が可能なＡＰＣ（自動番組送出システム）、及び電源管理方法を提供する。【解決手段】データ処理部８３は、番組編成データから生成されたＯＡ（オンエア）データを調べ、コンテンツ送出に係わる放送機器毎のイベントの制御タイミングリストを編集作成し、一定の時間以上非動作になる放送機器の電源をシャットダウンする制御手順を制御タイミングリスト追加するとともに、非動作となる後に再びコンテンツを送出する場合、そのコンテンツ送出タイミングからリードタイムを逆算してシャットダウンした放送機器の電源を投入して再起動しスタンバイする制御手順を制御タイミングリストに追加する。【選択図】  図１
2014233050.tif 000002
【特許請求の範囲】
【請求項１】
局内時計を参照して営放サーバから入力される番組編成情報に従って、予定された放送時刻に番組コンテンツを自動的に送出するのに係わるイベントを制御するＡＰＣ（自動番組送出システム）に接続された放送機器の電源動作を管理制御する電源管理システムにおいて、
前記放送機器と前記ＡＰＣとの間を接続するネットワークと、
前記各番組コンテンツとその番組コンテンツを送出する前記放送機器とを対応付けて記憶するコンテンツ・装置データベースと、
前記ネットワークに接続され、
前記番組編成情報から前記イベントが時系列に並んだ第1のリストを作成する編成管理手段と、
前記第１のリストと前記コンテンツ・装置データベースとを参照して更に前記放送機器毎のイベントを時系列に整理された第２のリストを作成し、
前記  第２のリストを調べ、コンテンツを送出しない非動作時間が予め定めた時間を超える前記放送機器がある場合、前記予め定められた以上の非動作時間が続くコンテンツを送出した後に当該放送機器の電源をシャットダウンする第１の制御信号を前記ネットワークを介して当該放送機器へ送信し、
当該放送機器の前記第２のリストを調べ前記シャットダウン後に新たにコンテンツを送出するイベントが有る場合、前記ネットワークを介してその新たなコンテンツを送出するタイミングに先立って当該放送機器に対して電源を起動させる第２の制御信号を当該放送機器へ送信するデータ処理手段とを備える
電源制御手段とを備えることを特徴とするＡＰＣの電源管理システム。
【請求項２】
ネットワークと、コンテンツ・装置データベースと、データ処理部とを備え、局内時計を参照して営放サーバから入力される番組編成情報に従って、予定された放送時刻に番組コンテンツを自動的に送出するのに係わるイベントを制御するＡＰＣ（自動番組送出システム）に接続された放送機器の電源動作を管理制御する電源管理システムの電源管理方法において、
前記ネットワークは、前記放送機器と前記ＡＰＣとの間を接続し、
前記コンテンツ・装置データベースは、前記各番組コンテンツとその番組コンテンツを送出する前記放送機器とを対応付けたデータを記憶し、
前記データ処理部は、前記ネットワークに接続され、
前記番組編成情報から前記イベントが時系列に並んだ第1のリストを作成し、
前記第１のリストと前記コンテンツ・装置データベースとを参照して更に前記放送機器毎のイベントを時系列に整理された第２のリストを作成し、
前記第２のリストを調べ、コンテンツを送出しない非動作時間が予め定めた時間を超える放送機器がある場合、前記予め定められた以上の非動作時間が続くコンテンツを送出した後に当該放送機器の電源をシャットダウンする第１の制御信号を前記ネットワークを介して当該放送機器へ送信し、
当該放送機器の前記第２のリストを調べ前記シャットダウン後に新たにコンテンツを送出するイベントが有る場合、前記ネットワークを介してその新たなコンテンツを送出するタイミングに先立って当該放送機器に対して電源を起動させる第２の制御信号を当該放送機器へ送信することを特徴とするＡＰＣの電源管理システムの電源管理方法。
【発明の詳細な説明】
【技術分野】
【０００１】
本発明の実施形態は、放送局の放送機器から自動番組送出を行う自動番組送出システム省電力で運用するための電源管理システムおよび電源管理方法に関する。
【背景技術】
【０００２】
放送局は、放送番組時刻表に従って各種の番組コンテンツをそれぞれのコンテンツを送出する放送機器から送信機へ向けて出力する。番組送出は、例えば、図８に示されるようなＡＰＣ（自動番組送出システム）により多くの放送機器群ＣＧから自動的にコンテンツが出力される。各放送機器は、動作に先立ち、オペレータにより電源が投入され、オンエアタイミングに備えてスタンバイし、オンエアタイミングにコンテンツの出力を終えると、再びスタンバイ状態になる。
【０００３】
図８において、放送局は、放送に先立ち、番組時刻表に従ったコンテンツの送出スケジュールを示す番組編成データが営放システムＱからネットワークＤＢを介してＤＳ（Data  Server：データサーバ）１０へ提供される。ＤＳ１０は、この番組編成データで指定されたコンテンツを出力する放送機器群ＣＧに属するそれぞれの放送機器を管理するＳＣＰ（Schedule  Control  Processor）１へ当該機器の制御に係わるＯＡデータをネットワークＤＢにより転送する。ネットワークＤＢは、ＡＰＣに収容される放送機器群ＣＧと接続するノード２と、ＳＣＰ１との間を接続して自動番組送出に係わる制御データを伝送する制御信号伝送網である。
【０００４】
また、ここでは、表記を省略しているが放送局内の基準となる局内時計Ｔの時刻情報や、クロック、同期信号などのタイミング情報が伝送手段によって各機器へ供給されている。
【０００５】
ＳＣＰ１は、放送（オンエア）タイミングに先がけてＤＳ１０からＯＡデータを受信、記憶し、放送機器群ＣＧ、即ちビデオサーバ３やＣＭバンク４、スタジオ（カメラ等の機器）５、系列局との間で番組データを授受するネットＩ／Ｆ６やスイッチャ７等の動作開始・停止や切替を制御する信号をノード２を介して送信する。
【０００６】
なお、多くの場合ＳＣＰ１は、複数のＳＣＰ１（＃１）〜ＳＣＰ１（＃ｂ）が備えられ、各ＳＣＰ１が分担して放送機器を制御する制御情報をそれぞれの分担先の放送機器へ送信する。
【０００７】
ＳＣＰ１では、転送されたＯＡデータから更にこの各ノード２を介して接続された放送機器の動作制御を行うタイミング制御データを生成し、局内時計Ｔを参照しながらコンテンツ送出タイミング前に各放送機器へネットワークＤＢにより配信することにより各放送機器の起動、スタンバイ、動作、停止の動作制御を行なう。
【０００８】
この様にＳＣＰ１は、ＯＡデータから生成した動作タイミング制御データに従って、局内時計Ｔを基準としてネットワークＤＢを介して接続された各放送機器の細部の動作をリアルタイム制御している。
【０００９】
さて、スタンバイ状態では、低消費電力になる放送機器もあるが、多数の放送機器が電源投入後、通電状態となるので放送システム全体での消費電力は膨大になる。放送機器の中では、動作停止（休止）状態の時間を自己検出して節電モードや、スタンバイ状態へ切替わるものも開発されている（例えば、特許文献１。）。しかし、従来のＡＰＣ（自動番組送出システム）では、膨大な数の放送機器を自動的にスタンバイ、または電源をオフにする制御をして省エネルギーで運用する処理は行われていなかった。
【先行技術文献】
【特許文献】
【００１０】
【特許文献１】特開２００９−１５９００号公報
【発明の概要】
【発明が解決しようとする課題】
【００１１】
従来の放送局のＡＰＣ（自動番組送出システム）では、多数の放送機器がスタンバイ状態になっても電源投入後は通電常態となるので放送システム全体での消費電力は膨大になる問題があった。
【００１２】
本発明が解決しようとする課題は、省電力運用が可能なＡＰＣ（自動番組送出システム）、及び電源管理方法を提供することである。
【課題を解決するための手段】
【００１３】
上記目的を達成するために、本実施形態のＡＰＣの電源管理システムは、局内時計を参照して営放サーバから入力される番組編成情報に従って、予定された放送時刻に番組コンテンツを自動的に送出するのに係わるイベントを制御するＡＰＣ（自動番組送出システム）に接続された放送機器の電源動作を管理制御する電源管理システムにおいて、前記放送機器と前記ＡＰＣとの間を接続するネットワークと、前記各番組コンテンツとその番組コンテンツを送出する前記放送機器とを対応付けて記憶するコンテンツ・装置データベースと、前記ネットワークに接続され、前記番組編成情報から前記イベントが時系列に並んだ第1のリストを作成する編成管理手段と、前記第１のリストと前記コンテンツ・装置データベースとを参照して更に前記放送機器毎のイベントが時系列に並んだ第２のリストを作成し、前記第２のリストを調べ、コンテンツを送出しない非動作時間が予め定めた時間を超える前記放送機器がある場合、前記予め定められた以上の非動作時間が続くコンテンツを送出した後に当該放送機器の電源をシャットダウンする第１の制御信号を前記ネットワークを介して当該放送機器へ送信し、当該放送機器の前記第２のリストを調べ前記シャットダウン後に新たにコンテンツを送出するイベントが有る場合、前記ネットワークを介してその新たなコンテンツを送出するタイミングに先立って当該放送機器に対して電源を起動させる第２の制御信号を当該放送機器へ送信するデータ処理手段とを備える電源制御手段とを備えることを特徴とする。
【００１４】
また、本実施形態のＡＰＣの電源管理システムの電源管理方法は、ネットワークと、コンテンツ・装置データベースと、データ処理部とを備え、局内時計を参照して営放サーバから入力される番組編成情報に従って、予定された放送時刻に番組コンテンツを自動的に送出するのに係わるイベントを制御するＡＰＣ（自動番組送出システム）に接続された放送機器の電源動作を管理制御する電源管理システムの電源管理方法において、前記ネットワークは、前記放送機器と前記ＡＰＣとの間を接続し、前記コンテンツ・装置データベースは、前記各番組コンテンツとその番組コンテンツを送出する前記放送機器とを対応付けたデータを記憶し、前記データ処理部は、前記ネットワークに接続され、前記番組編成情報から前記イベントが時系列に並んだ第1のリストを作成し、前記第１のリストと前記コンテンツ・装置データベースとを参照して更に前記放送機器毎のイベントが時系列に並んだ第２のリストを作成し、前記第２のリストを調べ、コンテンツを送出しない非動作時間が予め定めた時間を超える放送機器がある場合、前記予め定められた以上の非動作時間が続くコンテンツを送出した後に当該放送機器の電源をシャットダウンする第１の制御信号を前記ネットワークを介して当該放送機器へ送信し、当該放送機器の前記第２のリストを調べ前記シャットダウン後に新たにコンテンツを送出するイベントが有る場合、前記ネットワークを介してその新たなコンテンツを送出するタイミングに先立って当該放送機器に対して電源を起動させる第２の制御信号を当該放送機器へ送信することを特徴とする。
【図面の簡単な説明】
【００１５】
【図１】本実施形態に係わるＡＰＣの動作を説明するための機能ブロック図である。
【図２】ＡＰＣの自動番組送出に係わる番組編成データを説明する概念図である。
【図３】本実施形態の電源管理システムが電源管理をする制御データを生成する処理手順を説明するフローチャートである。
【図４】番組編成データから生成された放送機器毎の動作タイミングの時系列リストの一例を示す図である。
【図５】省電力手順を追加された放送機器毎の動作タイミングの時系列リストの一例を示す図である。
【図６】ＤＳ（データサーバ）が電源制御機能を備えている場合の機能構成を説明する機能ブロック図である。
【図７】ＤＳとＳＣＰとが電源制御機能を分担して備えている場合の機能構成を説明する機能ブロック図である。
【図８】従来のＡＰＣ（自動番組送出システム）の動作を説明する機能ブロック図である。
【発明を実施するための形態】
【００１６】
以下実施形態のＡＰＣの動作を図面を参照して説明する。
【００１７】
図１は、本実施形態に係わるＡＰＣの動作を説明するための機能ブロック図である。  
図１において、本実施形態のＡＰＣの構成と動作は、図８に示されるＡＰＣに電源制御部８を備える以外は、同様の構成であるので図８と重複する部分については、説明を省略する。
【００１８】
電源制御部８は、ネットワークＤＢを介してＤＳ（データサーバ）１０から入力されるＯＡデータを読み込み、放送されるコンテンツがどの放送機器から出力されるかを整理する編成管理部８１、コンテンツがどの放送機器から出力されるかを照合可能なリストにして記憶保存しているコンテンツ・装置ＤＢ（データベース）８２と、各放送装置がコンテンツを送出するのに係わる動作シーケンスを時系列に制御するデータ処理部８３とを備えている。
【００１９】
ここでは、電源制御部８は、ネットワークＤＢによりＳＣＰ１とＤＳ１０との間で情報、制御データを授受し、各放送機器の電源のＯＮ−ＯＦＦ制御は、ＳＣＰ１により実行される。
【００２０】
本実施形態の詳細な動作の理解を容易にするために従来のＡＰＣの基本動作を図２により説明する。図２において、番組の名称、放送時刻、コンテンツ名称、コンテンツを出力する放送機器名とが記された番組編成データが営放システムＱからＤＳ１０へ入力される。
【００２１】
図２（ａ）では、２１：００から番組「アニメＯＯの冒険」が放送されることが示されている。そして、図２（ｂ）では、２１：００に番組タイトル「ＯＯの冒険」が放送機器「ＶＡＦ＃２」から出力され、２１：０１から「Ａ社広告」がＣＭバンク「ＣＢｃｍａ１」が出力される、等々の手順が、番組「アニメＯＯの冒険」の送信に係わるＯＡデータｄ０として編集されてＤＳ１０からＳＣＰ１へ転送される。なお、ここではこのオンエアに係わる制御手順でＯＡデータに記載される各放送機器のそれぞれの動作を総称してイベントデータと呼ぶ。
【００２２】
従来同様、このイベントデータで指定されるコンテンツがどの放送機器で蓄積、出力されるかについてコンテンツ名称（識別情報）と、そのコンテンツを送出する機器（装置）とが対応するデータベース（リスト）にされて管理されている。本実施形態では、コンテンツ・装置ＤＢ（データベース）８２は、独立した装置照合管理システムであっても良いし、また後述するようにＤＳ１０の様な機器が内蔵する記憶装置で記憶管理されるものであっても良い。
【００２３】
図２（ｃ）では、このＯＡデータｄ０に基づいてＤＳ１０からＳＣＰ１に対して出力される更に詳細に全放送機器を合わせて時系列にリスト化された制御手順が番組送出制御テーブルｃ０として示されている。
【００２４】
ここでは、２０：５９：３０に「ビデオサーバＡ」と「ＣＭバンクＢ」とがスリープ状態から起動され、「２１：５９：５０」には、コンテンツが送出可能になる様に関連する放送機器へ送信する制御手順、更にそれに続いての各放送機器への制御手順が実施タイミングとともに記載されている。
【００２５】
しかし、これまでは、各放送機器についてその機器が何時から何時までのタイミングに起動し、コンテンツを送出し、更にコンテンツ送出後何時までスタンバイ、又はスリープモード（休止）にするか、もしくはシャットダウンするなどの電源管理については監視制御されていない。従って、放送機器がスリープ、又はスタンバイになってもこれらの機器では電源は消費されている。
【００２６】
ＯＡデータは、ＤＳ１０で番組毎のコンテンツ送信に係わるイベントが時系列に編集、リスト化されている。そこで、本実施例では、番組送出制御テーブルｃ０を組み替えて、各番組を通して使用される放送機器をリスト化することにより、その各放送機器が時間経緯とともにどのように制御されるかを監視している。
【００２７】
編成管理部８１は、ＤＳ１０から出力されるＯＡデータのコンテンツを監視し、出力されるコンテンツ名とその出力や制御されるタイミングをデータ処理部８３へ通知する。この時営放サーバＱからは、コンテンツを記憶保存している放送機器のデータが指定されず、コンテンツ名（識別符号）だけがＤＳ１０に提供されることもある。
【００２８】
放送局では、予め、どのコンテンツが、どのビデオサーバに記憶保存されているか等を照合可能に図１のコンテンツ・装置ＤＢ８２によりデータベース化して管理している。
【００２９】
図３は、本実施形態の電源管理部８が電源管理をする制御データを生成する処理手順を説明するフローチャートである。  
本実施形態の電源管理部８では、データ処理部８３が営放サーバＱから通知されたＯＡデータを収集する（図３のステップｓ１）図３。そして、コンテンツを出力する放送機器をコンテンツ・装置ＤＢ８２のデータベースを照合して放送機器を特定する。そして放送機器１台毎に制御タイミングを整理、編集した制御タイミングリスト（例えば、ＴＢ１、ＴＢ２・・・）にして、データ処理部８３の内部記憶装置に記録する（ステップｓ２）。
【００３０】
図４は、番組編成データから生成された放送機器の動作タイミングの時系列リストの一例を示す図である。  
図４は、図２で「ビデオサーバＡ」、及び「ＣＭバンクＢ」として管理されている放送機器の図２（ｃ）から生成された制御タイミングリストである。図４（ａ）では、ビデオサーバＡは、ビデオサーバＡ制御タイミングリストＴＢ１によって動作タイミングが編集されている。
【００３１】
即ち、ビデオサーバＡは、２０：５９：３０に電源がＯＮとなり起動され、２０：５９：５０にスタンバイ状態になり、２１：００：００にコンテンツの再生出力を行い、一時停止、スタンバイ、再生出力をリストされたタイミングで繰り返し行い、最後に２１：４９：００にスタンバイ状態となる。しかし、ビデオサーバＡは、電源はＯＮのまま別途ＯＦＦコマンドが入力されるまで起動状態が継続する。
【００３２】
また、同様に、ＣＭバンクＢは、ＣＭバンクＢ制御タイミングリストＴＢ２によって動作タイミングが編集される。ＣＭバンクＢは、２０：５９：３０に電源がＯＮとなり起動され、２０：５９：５０にスタンバイ状態になり、２１：００：００にコンテンツの再生出力を行い、２１：０１：００〜２１：０２：００に再生出力し、スタンバイ状態になり、２１：４９：００まで待機後、再生出力を２１：５０：００まで行う。ＣＭバンクＢは、２１：０２：００から２１：４９：００までスタンバイ状態になり、その間継続して電力を消費する。
【００３３】
データ処理部８３は、これらの制御タイミングリストを調べ、非動作時間、例えば、スタンバイ状態が３０分以上継続するか否かを調べ、非動作時間が３０分より短い場合（ステップｓ３がＮｏの場合）は、リストのイベント制御の時系列実行を維持する（ステップｓ４）。
【００３４】
反対に３０分より長い場合（ステップｓ３がＹｅｓの場合）は、当該機器、の電源をＯＦＦとするシャットダウン制御を追加する（ステップｓ５）。そして、図４の制御タイミングリストからこのシャットダウン以後に更に新しいコンテンツの送出が有るか否かを調べる（ステップｓ６）。
【００３５】
図５は、図４で示された動作制御タイミングリストに省電力手順を追加した動作制御タイミングリストを示す図である。
【００３６】
図５（ａ）では、ビデオサーバＡ制御タイミングリストＴＢ１ｒについては、２１：４９：００にスタンバイ状態になった後は、新たにコンテンツを出力することは無い（ステップｓ６がＮｏ）ので、斜字体下線で示される様に２１：５０：００にシャットダウン手順がデータ処理部８３によって追加される。そして、それ以降は、ビデオサーバＡからコンテンツを出力しないのでビデオサーバＡでの制御が終了する。
【００３７】
一方、図５（ｂ）で示されるＣＭバンクＢでは、２１：０２：００からスタンバイ状態が２１：４９：００まで継続して非動作時間が３０分以上となる（ステップｓ３がＹｅｓの場合）。ＣＭバンクＢ制御タイミングリストＴＢ２ｒには斜線で示される様にシャットダウン手順が追加されている（ステップｓ５）。
【００３８】
そしてシャットダウン以後にコンテンツの送出が２１：４９：００に有る（ステップｓ６がＹｅｓ）ので再起動が必要と判断し、ＣＭバンクＢのコンテンツ送出タイミングの１分前にスタンバイになるタイミングを逆算する。そして、起動タイミングとスタンバイタイミングとをそれぞれ２１：４７：３０、２１：４７：５０におけるイベントとしてＣＭバンクＢ制御タイミングリストＴＢ２ｒに追加する（ステップｓ７）。
【００３９】
さて、図１では、ビデオサーバＡはビデオサーバ３（＃Ａ）、ＣＭバンクＢはＣＭバンク４（＃Ｂ）として示されている。ビデオサーバ３（＃Ａ）は、ＳＣＰ１（＃１）によりノード２（＃１）を介して動作制御され、ＣＭバンク４（＃Ｂ）は、ＳＣＰ１（＃ｂ）によりノード２（＃４）を介して制御されているとする。
【００４０】
データ処理部８３は、ＯＡデータとしてビデオサーバＡ制御タイミングリストＴＢ１ｒをＳＣＰ１（＃１）へ、またＣＭバンクＢ制御タイミングリストＴＢ２ｒをＳＣＰ１（＃ｂ）へ転送することにより、ビデオサーバＡ（ビデオサーバ３（＃Ａ））とＣＭバンクＢ（ＣＭバンク４（＃Ｂ））とをそれぞれ、運用終了や、長いスタンバイになる期間にシャットダウンさせることによって省電力運用することが可能になる。
【００４１】
なお、ここで言うシャットダウンとは、ネットワークＤＢとの制御信号の授受と、受信した制御信号に応答して放送機器の電源のオンーオフをする以外の機能回路以外が電力消費状態に無い最低の電力消費状態を意味している。スリープ状態は、主要機能回路は通電状態に無く、一部の記憶回路等が通電状態で、電源投入後に主要機能回路の動作待機状態でシャットダウン状態よりも、電力消費量が大きい状態を意味する。また、スタンバイ状態は、主要機能回路も動作状態にあり、ビデオテープの駆動開始などデータ出力などが即時可能な待機状態にあることを意味する。
【００４２】
以上では、電源制御部８を独立した電源制御機能装置、電源制御手段として説明してきたが、ＤＳ１０、又はＳＣＰ１が電源制御機能を実行するものであっても良い。
【００４３】
図６は、ＤＳ１０が電源制御機能を備えている場合の機能構成を説明する機能ブロック図である。  
図６において、ＤＳ１０は、ＣＰＵ１０２と記憶装置１０１とを備えている。ＣＰＵ１０２は、営放サーバＱから入力される番組編成データをもとにＯＡデータｄ０を編集作成する編成管理部（機能）８１と、ＯＡデータｄ０から図５に示される電源制御情報を含んだ制御タイミングリストＴＢ１ｒ、ＴＢ２ｒを生成するデータ処理部（機能）８３とを備えている。
【００４４】
また、記憶装置１０１は、コンテンツとそのコンテンツを出力するコンテンツ・装置ＤＢ８２と、ＯＡデータｄ０と、制御タイミングリストＴＢ１ｒ、ＴＢ２ｒとをそれぞれデータとして記憶している。電源制御情報を含んだ制御タイミングリストＴＢ１ｒ、ＴＢ２ｒは、更にＳＣＰ１へ転送され、ＳＣＰ１は、各放送機器に対して電源制御を含んだ制御を行なう。これらにより、図１に示される電源制御部８と同様の処理を可能としている。この方法は、ＤＳ１０のＣＰＵの機能向上と記憶装置の要領拡大により実現されるもので、ＳＣＰ１での記憶データ量は、少し増加するが、独立した装置を用いないのでＡＰＣシステムの装置規模を小さく抑えることが可能になる。
【００４５】
図７は、ＤＳ１０とＳＣＰ１とが電源制御機能を分担して備える場合の機能ブロック図である。  
図７において、ＤＳ１０は、基本的には、従来と同様に営放サーバＱから番組編成データを入力してＯＡデータｄ０を生成してＳＣＰ１へ出力する。ＳＣＰ１は、まず図３のステップｓ２で制御タイミングリストＴＢ１、ＴＢ２（図４（ａ）、図４（ｂ）相当）を作成した後、図３のステップｓ３〜ステップｓ７の手順を行い制御タイミングリストＴＢ１ｒ、ＴＢ２ｒを生成する。この方法は、ＳＣＰ１の機能向上と内部記憶装置の容量の拡大によって実現される。
【００４６】
また、図１、図６、図７では、コンテンツ・装置ＤＢ８２はＤＳ１０の内部記憶装置に存在しているが、ネットワークＤＢに接続され、ＤＳ１０とデータ授受が可能な外部サーバに存在するものであっても良い。
【００４７】
以上述べた少なくともひとつの実施形態の電源管理システムによれば、番組編成データから放送機器それぞれの非動作時間を調べ、非動作時間が所定の時間以上継続する場合、当該機器の電源をシャットダウンする電源制御情報を持つことにより、ＡＰＣ（自動番組送出）システムを省電力で運用することが可能となる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１  ＳＣＰ
１０  ＤＳ（データサーバ）
８  電源制御部
８１  編成管理部
８２  コンテンツ・装置ＤＢ（データベース）
８３  データ処理部
２  ノード
ＤＢ  ネットワーク
Ｑ  営放サーバ
Ｔ  局内時計
ＣＧ  放送機器群
【図１】
2014233050.tif 000003
【図２】
2014233050.tif 000004
【図３】
2014233050.tif 000005
【図４】
2014233050.tif 000006
【図５】
2014233050.tif 000007
【図６】
2014233050.tif 000008
【図７】
2014233050.tif 000009
【図８】
2014233050.tif 000010